(57)【要約】      （修正有）【課題】従来迄の家庭に於ける指圧では指圧するツボの位置を明確にし、又全身に分布する指圧のツボに対応出来る指圧バンドを提供する。【解決手段】所要な長さの布テープの中央部に指圧装置としての指圧突起３を装着し、布テープの両端には面ファスナー４を取付けているので指圧を希望する指圧のツボが分布している地点のどこでも布テープ２を巻いて簡単に取付け、面ファスナー４で固定する。このように布テープを巻き付けて面ファスナーで固定して取付けるだけで、指圧バンド１の指圧突起３が押し出されて自動的に指圧が出来ると云う簡便さを具備した。【選択図】図１
0003182865.tif 000002
【実用新案登録請求の範囲】
【請求項１】
本考案の指圧バンドは所要な長さの布テープの中央部に指圧装置としての指圧突起を装着し布テープの両端にはマジックテープを取付けているので、頭でも腕でも指圧のツボが分布している地点に布テープの部分を巻きつけてマジックテープで固定して指圧バンドを取付けて簡単に指圧できるように考案されたものである。この考案では全身に分布する数の多い指圧ツボの中から特に指圧希望の高いものを選出し、一本一本指圧のツボ別に指圧バンドを製作したので、後頭部など指圧のツボが複雑に分布している地点の指圧にも混乱することなく指圧出来る長所があるのである。又従来迄は指圧のツボの位置を探し出さねばならない不便さが大きかったが、特に後頭部の指圧のツボを探し出すのは容易ではなかったが、本考案の指圧バンドには、その指圧突起の中心に案内指示板を取付けたので、指圧のツボの位置への指圧バンドの取付けも明解になったのである。本考案の指圧バンドは指圧を希望する指圧のツボの分布点にどこにでも簡単に取付けて、取付けただけで、指圧突起が押し込まれるので自動的に指圧が開始されると云う簡便さと、取付けている間は指圧が継続され而も、指圧中でも両手が空いているので家事や其の他の仕事が可能な利点がある。以上多くの利点を具備した指圧バンドであると共に構造も簡単なので安価に製作可能である。
【考案の詳細な説明】
【考案の概要】
【考案が解決しようとする課題】
【０００１】従来の家庭に於ける指圧では、指圧するツボの位置を探し出す不便さが大きかった。又全身に分布している指圧のツボそれぞれに対応して簡単に指圧出来る指圧器も皆無だった。
【課題を解決するための手段】
【０００２】本考案の指圧バンドは所要の長さの布テープの中央部に指圧装置としての指圧突起を装着している。布テープの両端にはマジックテープを取付けているので、頭でも腕でも布テープを一周巻き付けてマジックテープで固定し、どこにでも指圧を希望する部分に取付けることが出来るようになっている。指圧バンドは全身に分布する指圧のツボの中から指圧希望の高いものを選んで、各指圧のツボ別に一本ずつ製作するので、指圧ツボの分布が複雑な部分でも混乱することなく使用出来る長所がある。従来迄指圧のツボの位置を探しづらかった後頭部の指圧には、本考案の指圧バンドの中心部に指圧ツボの位置が明解に訳るツボの位置の案内指示板を取付けたので、従来迄の家庭指圧も数段進歩したのである。
【考案の効果】
【０００３】本考案の指圧バンドは、希望する指圧のツボが分布している部分に簡単に布テープを巻き付けてマジックテープで固定して取付けられるようになっており、このとき指圧バンドの指圧装置である指圧突起が、希望した指圧のツボの指圧点に良く合致していれば効果の高い指圧が、指圧バンドを取付けただけで自動的に指圧バンドの指圧突起が押し込まれるので、指圧が自動的に開始されるのである。指圧バンドを取付けている間は指圧が継続され、而も両手が空いているので、家事や其の他の仕事をすることも可能なのである。本考案の指圧バンドは構造も簡単なので安価に製造出来る特徴をもっている。
【図面の簡単な説明】
【０００４】
【図１】は指圧バンド本体▲１▼の全景を長さのみ途中省略している。（又突起部レザーカバー省略）
【図２】は第１図のＡ〜Ａ断面図を示す。
【符号の説明】
【０００５】１．指圧バンド本体２．布テープ３．指圧突起４．マジックテープ５．位置案内指示板６．ボンノクボ地点７．突起部レザーカバー
【図１】
0003182865.tif 000003
【図２】
0003182865.tif 000004
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
本考案の指圧バンドは所要な長さの布テープの中央部に指圧装置としての指圧突起を装着し布テープの両端には両ファスナーを取付けているので、頭でも腕でも指圧のツボが分布している部分を巻きつけて面ファスナーで固定して指圧バンドを取付けて簡単に指圧できるように考案されたものである。この考案では全身に分布する数の多い指圧ツボの中から特に指圧希望の高いものを選出し、一本一本指圧のツボ別に指圧バンドを製作したので、後頭部など指圧のツボが複雑に分布している地点の指圧にも混乱することなく指圧できる長所があるのである。
又従来迄は指圧のツボの位置を探し出すのに苦労した不便さが大きかったが特に後頭部の指圧のツボを探し出すのは容易ではなかったが本考案の指圧バンドにはその指圧突起の中心部に案内指示プレートを取付けたので指圧のツボの位置への指圧バンドの取付けも明解になったのである。
本考案の指圧バンドは指圧を希望する指圧のツボの分布点にどこにでも簡単に取付け、取付けただけで指圧突起が押し込まれるので自動的に指圧が開始されると云う簡便さと取付けている間は指圧が継続され、而も指圧中でも両手が空いているので家事や其の他の仕事が可能な利点がある以上多くの利点を具備した指圧バンドであると共に構造も簡単なので安価に製作可能である。
【手続補正２】
【補正対象書類名】明細書
【補正対象項目名】０００２
【補正方法】変更
【補正の内容】
【０００２】本考案の指圧バンドは所要の長さの布テープの中央部に指圧装置としての指圧突起を装着している布テープの両端にはマジックテープ（登録商標）を取付けているので頭でも腕でも布テープを一周巻き付けてマジックテープで固定し、どこにでも指圧を希望する部分に取付けることができるようになっている。
指圧バンドは全身に分布する指圧のツボの中から指圧希望の高いものを選んで各指圧のツボ別に一本づつ製作するので指圧ツボの分布が複雑な部分でも混乱することなく使用できる長所がある。
従来迄指圧のツボの位置を探しづらかった後頭部の指圧には、本考案の指圧バンドの中心部に指圧ツボの位置が明解に訳るツボの位置の案内指示板を取付けたので従来迄の家庭指圧も数段進歩したのである。
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
本考案の指圧バンドは所要な長さの布テープの中央部に指圧装置としての指圧突起を装着しており布テープの両端には面ファスナーを取付けているので希望する指圧ツボにこの指圧バンドの指圧突起を合わせて、布テープの部分を手や足などの四肢に巻き付けてそれぞれの周囲を一周する形で巻き付け布テープの両端に取付けている面ファスナーを噛み合わせるだけで指圧バンドは固定され取付けが完了するのである。取付けが完了した指圧バンドの状態は、布テープの平面から突出して装着されている指圧突起の部分が指圧のツボに押し込まれ、布テープを強く巻き付けて面ファスナーを噛み合わす力が、この指圧突起を押し付ける力となって働くために、指圧バンドを取付けている間は指圧が継続されるのである。このようにして、どこにでも取り付けられるという便利さと、着脱も極めて簡単であり、指圧バンドを取付けている間は指圧が継続するので、両手が空いているので、家事その他の仕事も出来る長所がある。この指圧バンドは以上のように人体に直接巻き付けて指圧する以外に人体以外の器物に取付けて、指圧をする方法もある。例えば後頭部の指圧には、枕カバーに面ファスナーを使用して、この指圧バンドを取付け頭をこの枕カバーに張り付けた指圧バンドの指圧装置に置いて頭の重量を利用して指圧する方法に利用したり、又、肩こりの指圧用に、ウェート指圧を必要とするなどのとき、鉄材の丸銅直径１２ｃｍもある比較的径の大きい丸銅を所要の厚さに切断して、中心部近くに指の入る孔を明けて、この円盤を握れるようにして全被覆の布地で包んだ円材の円周にこの指圧バンドを面ファスナーによって取付けたウェート指圧器など、指圧装置として利用される面も多々あるのである。このように色々な特徴を具備した指圧バンドであるが、構造も簡単であり、安価に出来る特徴もあるのである。
【手続補正書】
【提出日】平成24年11月9日(2012.11.9)
【手続補正１】
【補正対象書類名】実用新案登録請求の範囲
【補正対象項目名】全文
【補正方法】変更
【補正の内容】
【実用新案登録請求の範囲】
【請求項１】
所要の長さの布テープの中央部に指圧装置としての指圧突起を装着し布テープの両端には面ファスナーを取付け指圧突起の中心部に布テープの長手方向に直角な方向へ伸びる位置案内指示板を取付けた指圧バンド。
本考案では全身に分布する指圧のツボの中から特に指圧希望の高いものを選出し一本一本指圧のツボ別に指圧バンドを製作したので後頭部など指圧のツボが複雑に分布している地点の指圧にも混乱することなく指圧が出来る長所があるのである。又従来迄は指圧のツボの位置を探し出さねばならない不便さが大きかったが特に後頭部の指圧のツボを探し出すのは容易ではなかったが本考案の指圧バンドにはその指圧突起の中心に案内表示板を取付けたので指圧のツボの位置への指圧バンドの取付けも明解で容易になったのである。
本考案の指圧バンドは指圧を希望する指圧のツボの分布点にどこにでも簡単に取付けて、取付けただけで指圧突起が指圧のツボに押し込まれるので自動的に指圧が開始されると云う簡便さと、取付けている間は指圧が継続され而も指圧中でも両手が空いているので家事その他の仕事が出来る利点も大きい。又構造も簡単なため安価に製造も出来る特徴を有する指圧バンドなのである。
【手続補正書】
【提出日】平成25年1月23日(2013.1.23)
【手続補正１】
【補正対象書類名】実用新案登録請求の範囲
【補正対象項目名】全文
【補正方法】変更
【補正の内容】
【実用新案登録請求の範囲】
【請求項１】
所要の長さの布テープの中央部に指圧装置としての二つの指圧突起を装着し、布テープの両端には面ファスナーを取付け、二つの指圧突起の中心部に布テープの長手方向に直角な方向へ伸びる位置案内指示板を取付けた指圧バンド。